(57)【要約】【課題】従来の表示装置では、適視範囲を拡大することが困難である。【解決手段】互いに対向する一対の基板２１及び２３と、一対の基板２１及び２３間に、一対の基板２１及び２３によって保持された状態で介在し、第１の画像を形成する第１の画素及び第２の画像を形成する第２の画素を少なくとも含む複数の画素の前記画素ごとに駆動される液晶２５と、を有し、一対の基板２１及び２３のうちの一方の前記基板を経て液晶２５に入射された光を、前記第１の画素から前記一方の基板を経て第１の方向に反射するとともに、前記第２の画素から前記一方の基板を経て第２の方向に反射する複数の反射部２７が、他方の前記基板と液晶２５との間に、平面視で互いに間隔をあけた状態で設けられていることを特徴とする電気光学装置。【選択図】図２
2009080384.tif 000002
【特許請求の範囲】
【請求項１】
互いに対向する一対の基板と、
前記一対の基板間に、前記一対の基板によって保持された状態で介在し、第１の画像を形成する第１の画素及び第２の画像を形成する第２の画素を少なくとも含む複数の画素の前記画素ごとに駆動される液晶と、を有し、
前記一対の基板のうちの一方の前記基板を経て前記液晶に入射された光を、前記第１の画素から前記一方の基板を経て第１の方向に反射するとともに、前記第２の画素から前記一方の基板を経て第２の方向に反射する複数の反射部が、他方の前記基板と前記液晶との間に、平面視で互いに間隔をあけた状態で設けられていることを特徴とする電気光学装置。
【請求項２】
各前記反射部は、前記光を前記第１の方向に反射する第１反射面と、前記光を前記第２の方向に反射する第２反射面と、を有することを特徴とする請求項１に記載の電気光学装置。
【請求項３】
前記第１反射面及び前記第２反射面のそれぞれは、各前記反射部の縁側から各前記反射部の中央側に向かうにつれて前記他方の基板から遠ざかる方向に傾斜していることを特徴とする請求項２に記載の電気光学装置。
【請求項４】
平面視で前記複数の反射部同士間を覆う遮光膜が設けられていることを特徴とする請求項１乃至３のいずれか一項に記載の電気光学装置。
【請求項５】
前記複数の反射部は、少なくとも隣り合う２つの前記反射部の間で一連した状態で設けられた反射膜の前記液晶側に前記遮光膜を設けることによって、互いに前記間隔があけられていることを特徴とする請求項１乃至４のいずれか一項に記載の電気光学装置。
【請求項６】
前記一方の基板を経て前記液晶に入射される光を射出する光源部を有することを特徴とする請求項１乃至５のいずれか一項に記載の電気光学装置。
【請求項７】
前記光源部は、前記一方の基板の前記液晶側の面と、前記液晶側の面とは反対側の面とに挟まれた側面に対向して設けられており、
前記光は、前記側面から前記液晶側の面を経て前記液晶に入射されることを特徴とする請求項６に記載の電気光学装置。
【請求項８】
前記一方の基板と前記液晶との間に、前記光源部からの前記光の偏光状態を規定する偏光素子が介在することを特徴とする請求項７に記載の電気光学装置。
【請求項９】
前記複数の反射部と前記液晶との間に樹脂層が介在していることを特徴とする請求項１乃至８のいずれか一項に記載の電気光学装置。
【請求項１０】
請求項１乃至９のいずれか一項に記載の電気光学装置を表示部として備えたことを特徴とする電子機器。
【発明の詳細な説明】
【技術分野】
【０００１】
本発明は、電気光学装置及び電子機器に関する。
【背景技術】
【０００２】
従来、電気光学装置の１つとして、複数の方向から見たときに、それぞれの視方向ごとに異なる画像を表示（以下、指向性表示と呼ぶ）することができる表示装置が知られている。このような表示装置としては、開口部と遮光部とを有するバリアを介して複数の視点のそれぞれに、互いに異なる画像を表示することができるものがある（例えば、特許文献１参照）。
【０００３】
【特許文献１】特許第３０９６６１３号公報（第２頁、図２１）
【発明の開示】
【発明が解決しようとする課題】
【０００４】
ここで、画像を形成する表示パネルと上記のバリアとを有する表示装置で、２つの方向に指向性表示を行う仕組みについて、断面図を用いて説明する。表示パネル６００は、図３０（ａ）に示すように、第１の画像を表示する第１の画素６０１と、第２の画像を表示する第２の画素６０３とを有している。表示パネル６００に重ね合わされるバリア６０５には、第１の画素６０１と第２の画素６０３とに重なる領域に開口部６０７が設けられている。隣り合う開口部６０７同士の間には、遮光部６０９が位置している。第１の画素６０１及び第２の画素６０３には、照明装置６１０からの光がバリア６０５の開口部６０７を介して入射される。
【０００５】
開口部６０７を介して第１の画素６０１に入射された光は、第１の範囲６１１に及ぶ。また、開口部６０７を介して第２の画素６０３に入射された光は、第２の範囲６１３に及ぶ。つまり、第１の範囲６１１内にある視点からは第１の画像が視認され、第２の範囲６１３内にある視点からは第２の画像が視認され得る。なお、第１の範囲６１１及び第２の範囲６１３は、互いに重なる範囲６１５を有している。範囲６１５内にある視点からは、第１の画像と第２の画像とが重畳した状態で視認される。
【０００６】
第１の範囲６１１から範囲６１５を除いた範囲６１９ａ内にある視点からは、第１の画像だけが視認され得る。同様に、第２の範囲６１３から範囲６１５を除いた範囲６１９ｂ内にある視点からは、第２の画像だけが視認され得る。範囲６１９ａ及び範囲６１９ｂは、それぞれ、適視範囲６１９ａ及び適視範囲６１９ｂと呼ばれる。
ここで、適視範囲６１９ａ及び適視範囲６１９ｂは、図３０（ｂ）に示すように、表示パネル６００とバリア６０５との間の距離ｔを短縮することによって拡大され得る。
【０００７】
ところで、バリアが重ね合わされる表示パネルは、多くの場合、一対のガラス基板間に表示素子が介在した構成を有している。このような構成で適視範囲を拡大するには、バリアが重ね合わされる側のガラス基板を薄くしなければならない。しかしながら、ガラス基板を薄くすることは、基板強度の低下に起因して、歩留まりの低下、製造時間の長期化、品質の低下等の多くの弊害を招来してしまうことにつながる。
つまり、従来の表示装置では、適視範囲を拡大することが困難であるという未解決の課題がある。
【課題を解決するための手段】
【０００８】
本発明は、上述の課題の少なくとも一部を解決するためになされたものであり、以下の形態又は適用例として実現され得る。
【０００９】
［適用例１］互いに対向する一対の基板と、前記一対の基板間に、前記一対の基板によって保持された状態で介在し、第１の画像を形成する第１の画素及び第２の画像を形成する第２の画素を少なくとも含む複数の画素の前記画素ごとに駆動される液晶と、を有し、前記一対の基板のうちの一方の前記基板を経て前記液晶に入射された光を、前記第１の画素から前記一方の基板を経て第１の方向に反射するとともに、前記第２の画素から前記一方の基板を経て第２の方向に反射する複数の反射部が、他方の前記基板と前記液晶との間に、平面視で互いに間隔をあけた状態で設けられていることを特徴とする電気光学装置。
【００１０】
適用例１の電気光学装置は、一対の基板と、一対の基板間に介在する液晶と、複数の反射部と、を有している。液晶は、一対の基板によって保持されており、複数の画素の画素ごとに駆動される。液晶には、光が一対の基板のうちの一方の基板を経て入射される。複数の画素には、少なくとも、第１の画素と第２の画素とが含まれる。複数の反射部は、平面視で互いに間隔をあけた状態で、他方の基板と液晶との間に設けられている。各反射部は、液晶に入射された光を、第１の画素から一方の基板を経て第１の方向に反射するとともに、第２の画素から一方の基板を経ての方向に反射する。これにより、第１の方向からは、第１の画素によって形成される第１の画像が視認され、第２の方向からは、第２の画素によって形成される第２の画像が視認され得る。つまり、適用例１の電気光学装置では、少なくとも２つの方向に指向性表示を行うことができる。
【００１１】
ここで、複数の反射部は、他方の基板と液晶との間に設けられている。つまり、複数の反射部は、一対の基板間に介在している。このため、複数の反射部が一対の基板の外側に配置される場合に比較して、複数の画素と複数の反射部との間の距離を短縮することができる。従って、適用例１の電気光学装置では、指向性表示を行う各方向における適視範囲を拡大することができる。
【００１２】
［適用例２］上記の電気光学装置であって、各前記反射部は、前記光を前記第１の方向に反射する第１反射面と、前記光を前記第２の方向に反射する第２反射面と、を有することを特徴とする電気光学装置。
【００１３】
適用例２では、各反射部が第１反射面と第２反射面とを有しているので、第１の反射面で光を第１の方向に反射し、第２の反射面で光を第２の方向に反射することができる。
【００１４】
［適用例３］上記の電気光学装置であって、前記第１反射面及び前記第２反射面のそれぞれは、各前記反射部の縁側から各前記反射部の中央側に向かうにつれて前記他方の基板から遠ざかる方向に傾斜していることを特徴とする電気光学装置。
【００１５】
［適用例４］上記の電気光学装置であって、平面視で前記複数の反射部同士間を覆う遮光膜が設けられていることを特徴とする電気光学装置。
【００１６】
適用例４では、平面視で複数の反射部同士間を覆う遮光膜が設けられているので、反射部同士間での光の往来が遮られる。これにより、各反射部からの光が第２の画素を経て第１の方向に漏れたり、第１の画素を経て第２の方向に漏れたりすることを低く抑えることができる。従って、指向性表示における各画像のコントラストの向上が図られる。
【００１７】
［適用例５］上記の電気光学装置であって、前記複数の反射部は、少なくとも隣り合う２つの前記反射部の間で一連した状態で設けられた反射膜の前記液晶側に前記遮光膜を設けることによって、互いに前記間隔があけられていることを特徴とする電気光学装置。
【００１８】
適用例５では、複数の反射部が、少なくとも隣り合う２つの反射部の間で一連した状態で設けられた反射膜の液晶側に遮光膜を設けることによって、互いに間隔があけられている。複数の反射部のそれぞれを個別の反射膜で構成する場合に比較して、反射膜を一連した状態で設けることができるので、電気光学装置の製造の効率化が図られる。
【００１９】
［適用例６］上記の電気光学装置であって、前記一方の基板を経て前記液晶に入射される光を射出する光源部を有することを特徴とする電気光学装置。
【００２０】
適用例６では、一方の基板を経て液晶に入射される光を射出する光源部が設けられているので、画像を明るく表示することができる。
【００２１】
［適用例７］上記の電気光学装置であって、前記光源部は、前記一方の基板の前記液晶側の面と、前記液晶側の面とは反対側の面とに挟まれた側面に対向して設けられており、前記光は、前記側面から前記液晶側の面を経て前記液晶に入射されることを特徴とする電気光学装置。
【００２２】
適用例７では、光源部が一方の基板の側面に対向して設けられているとともに、光源部からの光が一方の基板の側面から液晶側の面を経て液晶に入射されるので、電気光学装置の厚みの増大を低く抑えることができる。
【００２３】
［適用例８］上記の電気光学装置であって、前記一方の基板と前記液晶との間に、前記光源部からの前記光の偏光状態を規定する偏光素子が介在することを特徴とする電気光学装置。
【００２４】
適用例８では、一方の基板と液晶との間に、光源部からの光の偏光状態を規定する偏光素子が介在しているので、偏光光を利用して画像を形成することができる。
【００２５】
［適用例９］上記の電気光学装置であって、前記複数の反射部と前記液晶との間に樹脂層が介在していることを特徴とする電気光学装置。
【００２６】
適用例９では、複数の反射部と液晶との間に樹脂層が介在している。樹脂層では、例えばガラス基板などに比較して、厚みが容易に調整され得る。従って、適用例９の電気光学装置では、樹脂層の厚みを調整することで、適視範囲を調整しやすくすることができる。
【００２７】
［適用例１０］上記の電気光学装置を表示部として備えたことを特徴とする電子機器。
【００２８】
適用例１０の電子機器は、表示部としての電気光学装置が、一対の基板と、一対の基板間に介在する液晶と、複数の反射部と、を有している。液晶は、一対の基板によって保持されており、複数の画素の画素ごとに駆動される。液晶には、光が一対の基板のうちの一方の基板を経て入射される。複数の画素には、少なくとも、第１の画素と第２の画素とが含まれる。複数の反射部は、平面視で互いに間隔をあけた状態で、他方の基板と液晶との間に設けられている。各反射部は、液晶に入射された光を、第１の画素から一方の基板を経て第１の方向に反射するとともに、第２の画素から一方の基板を経ての方向に反射する。これにより、第１の方向からは、第１の画素によって形成される第１の画像が視認され、第２の方向からは、第２の画素によって形成される第２の画像が視認され得る。つまり、この電気光学装置では、少なくとも２つの方向に指向性表示を行うことができる。
ここで、複数の反射部は、他方の基板と液晶との間に設けられている。つまり、複数の反射部は、一対の基板間に介在している。このため、複数の反射部が一対の基板の外側に配置される場合に比較して、複数の画素と複数の反射部との間の距離を短縮することができる。従って、この電気光学装置では、指向性表示を行う各方向における適視範囲を拡大することができる。そして、適用例１０の電子機器は、適視範囲を拡大することができる電気光学装置を表示部として備えているので、適視範囲の拡大が図られる。
【発明を実施するための最良の形態】
【００２９】
実施形態について、電気光学装置の１つである表示装置を例に、図面を参照しながら説明する。
【００３０】
第１実施形態における表示装置１には、図１に示すように、複数の画素３が設定されている。複数の画素３は、表示領域５内で、図中のＸ方向及びＹ方向に配列しており、Ｘ方向を行方向とし、Ｙ方向を列方向とするマトリクスＭを構成している。表示装置１は、内蔵する反射部で外部からの光を反射させ、複数の画素３から選択的に表示面７を介して表示装置１の外に射出することで、表示面７に画像を表示することができる。なお、表示領域５とは、画像が表示され得る領域である。図１では、構成をわかりやすく示すため、画素３が誇張され、且つ画素３の個数が減じられている。
【００３１】
表示装置１は、図１中のＡ−Ａ線における断面図である図２に示すように、液晶パネル１１と、偏光板１５とを有している。
液晶パネル１１は、反射素子基板２１と、駆動素子基板２３と、液晶２５とを有している。
反射素子基板２１には、表示面７側すなわち液晶２５側に、複数の反射部２７などが設けられている。なお、図２では、構成をわかりやすく示すため、各構成が誇張され、且つ反射部２７の個数が減じられている。
【００３２】
駆動素子基板２３は、反射素子基板２１よりも表示面７側で反射素子基板２１に対向し、且つ反射素子基板２１との間に隙間を有した状態で設けられている。駆動素子基板２３には、表示装置１における表示面７の裏面に相当する面である底面３５側すなわち液晶２５側に、複数の画素３のそれぞれに対応して、後述するスイッチング素子などが設けられている。
【００３３】
液晶２５は、反射素子基板２１及び駆動素子基板２３の間に介在しており、表示装置１の周縁よりも内側で表示領域５を囲むシール材３７によって、反射素子基板２１及び駆動素子基板２３の間に封止されている。つまり、液晶２５は、反射素子基板２１及び駆動素子基板２３に保持された状態で、これらの反射素子基板２１及び駆動素子基板２３間に介在している。なお、表示装置１では、液晶２５として、ＴＮ（Twisted Nematic）型が採用されている。
【００３４】
偏光板１５は、駆動素子基板２３よりも表示面７側に設けられている。偏光板１５は、透過軸の方向に偏光軸を有する光を透過させることができる。
表示装置１に設定されている複数の画素３は、それぞれ、表示面７から射出する光の色が、図３に示すように、赤系（Ｒ）、緑系（Ｇ）及び青系（Ｂ）のうちの１つに設定されている。つまり、マトリクスＭを構成する複数の画素３は、Ｒの光を射出する画素３ｒと、Ｇの光を射出する画素３ｇと、Ｂの光を射出する画素３ｂとを含んでいる。
【００３５】
ここで、Ｒの色は、純粋な赤の色相に限定されず、橙等を含む。Ｇの色は、純粋な緑の色相に限定されず、青緑や黄緑を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００３６】
マトリクスＭでは、Ｙ方向に沿って並ぶ複数の画素３が、１つの画素列４１を構成している。１つの画素列４１内の各画素３は、光の色がＲ、Ｇ及びＢのうちの１つに設定されている。つまり、マトリクスＭは、複数の画素３ｒがＹ方向に配列した画素列４１ｒと、複数の画素３ｇがＹ方向に配列した画素列４１ｇと、複数の画素３ｂがＹ方向に配列した画素列４１ｂとを有している。そして、マトリクスＭでは、画素列４１ｒ、画素列４１ｇ及び画素列４１ｂが、この順でＸ方向に沿って反復して並んでいる。
【００３７】
また、表示装置１では、マトリクスＭを構成する複数の画素３は、図４に示すように、複数の第１の画素３1と、複数の第２の画素３2とにわけられている。表示装置１は、各反射部２７で外部からの光を反射させて、複数の第１の画素３1から選択的に表示面７を介して表示装置１の外に射出することで、表示面７に第１の画像を表示することができる。また、表示装置１は、各反射部２７で外部からの光を反射させて、複数の第２の画素３2から選択的に表示面７を介して表示装置１の外に射出することで、表示面７に第２の画像を表示することができる。
【００３８】
なお、第１の画像と第２の画像とは、互いに異なる画像であることと、互いに同じ画像であることとが問われない。また、以下においては、画素３という表記と、画素３ｒ、３ｇ及び３ｂという表記と、第１の画素３1及び第２の画素３2という表記とが、適宜、使いわけられる。また、第１の画素３1及び第２の画素３2のそれぞれに対してＲ、Ｇ及びＢが識別される場合、第１の画素３ｒ1、３ｇ1及び３ｂ1、並びに、第２の画素３ｒ2、３ｇ2及び３ｂ2という表記が用いられる。
【００３９】
表示装置１では、第１の画素３1と第２の画素３2とが、Ｘ方向に交互に並んでいる。１つの画素列４１は、複数の第１の画素３1又は複数の第２の画素３2によって構成されている。つまり、マトリクスＭは、複数の第１の画素３1がＹ方向に沿って配列した画素列４１1と、複数の第２の画素３2がＹ方向に沿って配列した画素列４１2とを有している。なお、以下においては、画素列４１という表記と、画素列４１ｒ、画素列４１ｇ及び画素列４１ｂという表記と、画素列４１1及び画素列４１2という表記とが、適宜、使いわけられる。
【００４０】
また、表示装置１では、マトリクスＭを構成する複数の画素３は、Ｘ方向に隣り合う第１の画素３1及び第２の画素３2の２つの画素３ごとに、これらの２つの画素３を１組とする複数組の画素群４３にわけられている。各画素群４３での第１の画素３1及び第２の画素３2の並び順は、複数組の画素群４３間で統一している。表示装置１では、第１の画素３1と第２の画素３2とが、図４で見て、Ｘ方向に左側から右側に向かってこの順で並んでいる。なお、第１の画素３1及び第２の画素３2の並び順は、複数組の画素群４３間で統一していれば、いずれが左側でも右側でもよい。
マトリクスＭにおいて、複数組の画素群４３は、図５に示すように、Ｘ方向及びＹ方向のそれぞれの方向に沿って並んでいる。つまり、複数組の画素群４３は、マトリクス状に配列している。
【００４１】
ここで、反射素子基板２１及び駆動素子基板２３のそれぞれの構成について、詳細を説明する。
反射素子基板２１は、図４中のＣ−Ｃ線における断面図である図６に示すように、第１基板５１を有している。第１基板５１は、例えばガラスなどの光透過性を有する材料で構成されており、表示面７側に向けられた第１面５３を有している。なお、第１基板５１の第１面５３とは反対側の面は、底面３５に相当している。
【００４２】
反射部２７は、第１基板５１の第１面５３に設けられている。反射部２７の表示面７側には、樹脂層５５が設けられている。樹脂層５５は、光透過性を有する樹脂で構成されており、シート状の樹脂を貼り付けたり、液状の樹脂をスピンコート法などで膜状に配置してから固化させたりすることで形成され得る。
樹脂層５５の表示面７側には、各画素３を区画する光吸収層５７が領域５８にわたって設けられている。表示装置１では、各画素３は、光吸収層５７によって囲まれた領域であると定義され得る。光吸収層５７は、光吸収性を有する材料で構成され、樹脂層５５の表示面７側に、平面視で格子状に設けられている。
【００４３】
樹脂層５５の表示面７側には、光吸収層５７によって囲まれた各領域、すなわち各画素３の領域を表示面７側から覆うカラーフィルタ５９が設けられている。
ここで、カラーフィルタ５９は、入射された光のうち所定の波長域の光を透過させることができる。カラーフィルタ５９は、画素３ｒ、画素３ｇ及び画素３ｂごとに異なる色に着色された樹脂などで構成されている。画素３ｒに対応するカラーフィルタ５９は、Ｒの光を透過させることができる。画素３ｇに対応するカラーフィルタ５９はＧの光を透過させ、画素３ｂに対応するカラーフィルタ５９はＢの光を透過させることができる。
【００４４】
光吸収層５７及びカラーフィルタ５９の表示面７側には、オーバーコート層６１が設けられている。オーバーコート層６１は、光透過性を有する樹脂などで構成されており、光吸収層５７及びカラーフィルタ５９を表示面７側から覆っている。
オーバーコート層６１の表示面７側には、位相差膜６２が設けられている。位相差膜６２は、例えば液晶ポリマなどで構成されており、入射された光に１／４波長の位相差を与える。位相差膜６２は、マトリクスＭを構成する複数の画素３に、平面視で重なる領域に設けられている。
【００４５】
位相差膜６２の表示面７側には、対向電極６３が設けられている。対向電極６３は、例えばＩＴＯ（Indium Tin Oxide）などの光透過性を有する材料で構成されている。対向電極６３は、マトリクスＭを構成する複数の画素３に、平面視で重なる領域に設けられている。なお、対向電極６３は、図示しない共通線につながっている。
対向電極６３の表示面７側には、配向膜６５が設けられている。配向膜６５は、例えばポリイミドなどの光透過性を有する材料で構成されており、対向電極６３を表示面７側から覆っている。なお、配向膜６５には、配向処理が施されている。
【００４６】
駆動素子基板２３は、第２基板６７を有している。第２基板６７は、例えばガラスなどの光透過性を有する材料で構成されており、表示面７側に向けられた外向面６８ａと、底面３５側に向けられた素子面６８ｂとを有している。
第２基板６７の素子面６８ｂには、ゲート絶縁層６９が設けられている。ゲート絶縁層６９の底面３５側には、絶縁層７１が設けられている。絶縁層７１の底面３５側には、配向膜７３が設けられている。
【００４７】
また、駆動素子基板２３には、各画素３に対応して、スイッチング素子の１つであるＴＦＴ（Thin Film Transistor）素子７５と、画素電極７７とが、第２基板６７の素子面６８ｂ側に設けられている。
ＴＦＴ素子７５は、ゲート電極７９と、半導体層８１と、ソース電極８３と、ドレイン電極８５とを有している。
【００４８】
ゲート電極７９は、第２基板６７の素子面６８ｂに設けられており、ゲート絶縁層６９によって底面３５側から覆われている。なお、ゲート絶縁層６９の材料としては、例えば、ＳｉＯやＳｉＮなどの光透過性を有する材料が採用され得る。
半導体層８１は、例えばアモルファスシリコンで構成されており、ゲート絶縁層６９を挟んでゲート電極７９に対向する位置に設けられている。半導体層８１には、図示しないソース領域と、ドレイン領域とが設けられている。
【００４９】
ソース電極８３は、ゲート絶縁層６９の底面３５側に設けられており、一部が半導体層８１のソース領域に重なっている。
ドレイン電極８５は、ゲート絶縁層６９の底面３５側に設けられており、一部が半導体層８１のドレイン領域に重なっている。
【００５０】
表示装置１では、上記の構成を有するＴＦＴ素子７５は、図６で見て左側の領域５８内に設けられており、ドレイン電極８５が領域５８内から画素３の領域内に延長されている。Ｘ方向に隣り合う画素３間において、ゲート電極７９同士は、図示しないゲート線によって接続されている。また、Ｙ方向に隣り合う画素３間において、ソース電極８３同士は、図示しないデータ線によって接続されている。
【００５１】
ＴＦＴ素子７５は、絶縁層７１によって底面３５側から覆われている。なお、絶縁層７１の材料としては、例えば、ＳｉＯ、ＳｉＮ、アクリル系の樹脂などの光透過性を有する材料が採用され得る。
画素電極７７は、例えばＩＴＯなどの光透過性を有する材料で構成され、絶縁層７１の底面３５側に設けられている。画素電極７７は、絶縁層７１に設けられたコンタクトホール８７を介してドレイン電極８５につながっている。
配向膜７３は、例えばポリイミドなどの光透過性を有する材料で構成されており、絶縁層７１及び画素電極７７を底面３５側から覆っている。なお、配向膜７３には、配向処理が施されている。
【００５２】
反射素子基板２１及び駆動素子基板２３の間に介在する液晶２５は、配向膜６５と配向膜７３との間に介在している。表示装置１では、図２に示すシール材３７は、図６に示す第１基板５１の第１面５３と、第２基板６７の素子面６８ｂとによって挟持されている。つまり、表示装置１では、液晶２５は、第１基板５１及び第２基板６７によって保持されている。なお、シール材３７は、配向膜６５及び配向膜７３の間に設けられていてもよい。この場合、液晶２５は、反射素子基板２１及び駆動素子基板２３に保持されているとみなされ得る。
【００５３】
各反射部２７は、図６中のＤ−Ｄ線における断面図である図７に示すように、Ｘ方向において、各画素群４３に対応して設けられており、画素群４３を構成する第１の画素３1及び第２の画素３2の間に設けられている。なお、Ｘ方向に隣り合う反射部２７同士間には、遮光性を有する材料で構成された遮光膜８９が設けられている。遮光膜８９は、例えば、カーボンブラックなどを含有する樹脂や、クロムなどの光吸収性が高い材料で構成され得る。
対向電極６３は、複数の画素３間にわたって一連した状態で設けられており、複数の画素３間にわたって共通して機能する。各画素電極７７は、平面視で周縁部が領域５８内に及んでいる。
【００５４】
また、各反射部２７は、反射部２７と画素群４３との平面図である図８に示すように、Ｙ方向に沿って延びている。つまり、１つの反射部２７は、Ｙ方向に配列する複数組の画素群４３に対応している。なお、図８では、構成をわかりやすく示すため、各反射部２７にハッチングが施されている。
【００５５】
上記の構成を有する表示装置１では、液晶２５の配向状態を画素３ごとに変化させることにより、表示が制御される。液晶２５の配向状態は、ＴＦＴ素子７５のＯＦＦ状態及びＯＮ状態を切り替えることによって変化し得る。
【００５６】
図９（ａ）は、ＴＦＴ素子７５がＯＦＦ状態のときの偏光状態を示す図であり、図９（ｂ）は、ＴＦＴ素子７５がＯＮ状態のときの偏光状態を示す図である。
表示装置１では、位相差膜６２の遅相軸の方向９１は、図９（ａ）及び図９（ｂ）に示すように、偏光板１５の透過軸の方向９３に直交している。
図７に示す配向膜７３の配向方向は、偏光板１５の透過軸の方向９３に沿っている。また、配向膜６５の配向方向は、偏光板１５の透過軸の方向９３に直交している。
【００５７】
そして、液晶２５は、入射された光に１／４波長の位相差を与える。これは、液晶２５の屈折率異方性及び厚みの設定によって達成され得る。
なお、図９（ａ）及び図９（ｂ）において、Ｘ’方向及びＹ’方向は、Ｙ’方向が平面視で偏光板１５の透過軸の方向９３に沿った方向を示し、Ｘ’方向がＸＹ平面内でＹ’方向に直行する方向を示している。Ｘ’方向及びＹ’方向は、ＸＹ平面内で互いに直交する任意の２方向である。
【００５８】
表示装置１では、表示面７側から偏光板１５を経て入射された入射光は、図９（ａ）及び図９（ｂ）に示すように、偏光板１５の透過軸の方向９３すなわちＹ’方向に沿った偏光軸を有する直線偏光９５として液晶２５に入射される。
液晶２５に入射された直線偏光９５は、ＴＦＴ素子７５がＯＦＦ状態のときに、図９（ａ）に示すように、１／４波長の位相差が与えられ、この図で見て左回りの円偏光９７として位相差膜６２に向けて射出される。
位相差膜６２に向けて射出された円偏光９７は、位相差膜６２で１／４波長の位相差が与えられ、Ｘ’方向から反時計回りに４５度の方向に偏光軸を有する直線偏光９９として反射部２７に向けて射出される。
反射部２７に向けて射出された直線偏光９９は、反射部２７によって、偏光状態が維持されたまま直線偏光９９として位相差膜６２に向けて反射される。
【００５９】
位相差膜６２に向けて反射された直線偏光９９は、位相差膜６２で１／４波長の位相差が与えられ、この図で見て左回りの円偏光１０１として液晶２５に向けて射出される。
液晶２５に入射された円偏光１０１は、１／４波長の位相差が与えられ、Ｙ’方向に沿った直線偏光１０３として偏光板１５に向けて射出される。
偏光板１５に向けて射出された直線偏光１０３は、偏光軸が偏光板１５の透過軸の方向９３に沿っているため、偏光板１５を透過する。
【００６０】
他方で、ＴＦＴ素子７５がＯＮ状態のときに、直線偏光９５は、図９（ｂ）に示すように、偏光状態が維持されたまま液晶２５を透過してから、直線偏光９５として位相差膜６２に入射される。
位相差膜６２に入射された直線偏光９５は、１／４波長の位相差が与えられ、この図で見て左回りの円偏光１０５として反射部２７に向けて射出される。
反射部２７に向けて射出された円偏光１０５は、反射部２７で反射され、この図で見て右回りすなわち円偏光１０５とは反対回りの円偏光１０７として位相差膜６２に入射される。
【００６１】
位相差膜６２に入射された円偏光１０７は、１／４波長の位相差が与えられ、Ｘ’方向に沿った方向に偏光軸を有する直線偏光１０９として液晶２５に入射される。
液晶２５に入射された直線偏光１０９は、偏光状態が維持されたまま液晶２５を透過してから、直線偏光１０９として偏光板１５に入射される。
偏光板１５に入射された直線偏光１０９は、偏光軸が偏光板１５の透過軸の方向９３に直交しているため、偏光板１５によって吸収される。
このように、表示装置１では、液晶２５のＯＮ状態及びＯＦＦ状態の切り替えにより、表示が制御される。
【００６２】
ここで、表示装置１では、前述したように、Ｘ方向において各画素群４３に対応する反射部２７が設けられている。各反射部２７で反射された光は、複数組の画素群４３及び反射部２７を模式的に示す断面図である図１０に示すように、反射部２７に対応する画素群４３を構成する第１の画素３1及び第２の画素３2のそれぞれを介して表示面７から射出される。このとき、第１の画素３1及び第２の画素３2のそれぞれから射出された光１１１ａ及び１１１ｂは、光１１１ａが第１の範囲１１３に及び、光１１１ｂが第２の範囲１１５に及ぶ。なお、図１０に示す断面は、図８中のＥ−Ｅ線における断面に相当している。
【００６３】
第１の範囲１１３からは、第１の画素３1を介して反射部２７からの光１１１ａが視認され得る。第２の範囲１１５からは、第２の画素３2を介して反射部２７からの光１１１ｂが視認され得る。第１の範囲１１３内に視点があれば、複数の第１の画素３1からの光１１１ａによって形成される第１の画像が視認され得る。第２の範囲１１５内に視点があれば、複数の第２の画素３2からの光１１１ｂによって形成される第２の画像が視認され得る。つまり、表示装置１では、第１の画像を第１の範囲１１３に表示し、第２の画像を、第１の範囲１１３とは異なる第２の範囲１１５に表示することができる。
【００６４】
ここで、第１の範囲１１３と第２の範囲１１５とは、各反射部２７からの方向が互いに異なる。表示装置１では、各反射部２７から第１の範囲１１３の方向が第１の方向と定義され、各反射部２７から第２の範囲１１５の方向が第２の方向と定義される。つまり、表示装置１では、第１の画像を第１の方向に表示し、第２の画像を第２の方向に表示する所謂指向性表示を行うことができる。
【００６５】
表示装置１では、図１０に示す第１の範囲１１３及び第２の範囲１１５に、互いに重複する範囲１１７がある。この範囲１１７からは、第１の画像と第２の画像とが重畳した状態で視認される。第１の範囲１１３から範囲１１７を除いた範囲１１９ａ（以下、適視範囲１１９ａと呼ぶ）からは、第１の画像だけが視認され得る。また、第２の範囲１１５から範囲１１７を除いた範囲１１９ｂ（以下、適視範囲１１９ｂと呼ぶ）からは、第２の画像だけが視認され得る。
【００６６】
表示装置１は、複数の第１の画素３1から射出された光１１１ａが第１の範囲１１３の両端のそれぞれにおいて交差し、複数の第２の画素３2から射出された光１１１ｂが第２の範囲１１５の両端のそれぞれにおいて交差するように構成されている。これは、Ｘ方向に隣り合う反射部２７同士間の間隔Ｐａを、Ｘ方向に隣り合う画素群４３同士間の間隔Ｐｂよりも長く設定することによって実現され得る。
これにより、適視範囲１１９ａ内にある任意の視点から視認される光の量を、複数の第１の画素３1間で同等にすることができる。同様に、適視範囲１１９ｂ内にある任意の視点から視認される光の量を、複数の第２の画素３2間で同等にすることができる。
【００６７】
表示装置１では、Ｘ方向において各画素群４３に対応する反射部２７が、液晶２５を保持する第１基板５１と第２基板６７との間に設けられている。このため、複数の反射部２７が第１基板５１及び第２基板６７間の外側に設けられる場合に比較して、各画素群４３と反射部２７との間の距離を短縮することができる。従って、適視範囲１１９ａや適視範囲１１９ｂを拡大することができる。
【００６８】
また、表示装置１では、Ｘ方向に隣り合う反射部２７同士間に遮光膜８９が設けられている。このため、各反射部２７からの光が第１の画素３1を経て第２の範囲１１５に漏れたり、第２の画素３2を経て第１の範囲１１３に漏れたりすることを低く抑えることができる。従って、指向性表示における第１の画像及び第２の画像のそれぞれのコントラストを向上させることができる。
【００６９】
また、表示装置１では、複数の反射部２７と液晶２５との間に樹脂層５５が設けられている。樹脂層５５では、ガラスなどに比較して厚みを容易に調整することができる。従って、表示装置１では、樹脂層５５の厚みを調整することで、適視範囲１１９ａや適視範囲１１９ｂを調整しやすくすることができる。
【００７０】
なお、表示装置１では、カラーフィルタ５９が第１基板５１と第２基板６７との間に設けられているが、カラーフィルタ５９の位置はこれに限定されない。
ここで、表示装置１において、各反射部２７のＸ方向における中点から、複数の第１の画素３1のそれぞれにおける中点を経て第１の範囲１１３に至る光１１１ａは、図１１に示すように、適視範囲１１９ａ内の視点Ｌａで交差する。同様に、各反射部２７のＸ方向における中点から、複数の第２の画素３2のそれぞれにおける中点を経て第２の範囲１１５に至る光１１１ｂは、適視範囲１１９ｂ内の視点Ｌｂで交差する。
【００７１】
これらの光１１１ａ及び１１１ｂ間で同じ色に着目すると、画素３ｒ1から視点Ｌａに至る光１１１ａと、画素３ｒ2から視点Ｌｂに至る光１１１ｂとは、交点Ｋｒで交差する。同様に、画素３ｇ1から視点Ｌａに至る光１１１ａと、画素３ｇ2から視点Ｌｂに至る光１１１ｂとが交点Ｋｇで交差し、画素３ｂ1から視点Ｌａに至る光１１１ａと、画素３ｂ2から視点Ｌｂに至る光１１１ｂとが交点Ｋｂで交差する。各交点Ｋｒ、Ｋｇ及びＫｂに、それぞれの光の色に対応するカラーフィルタ５９を配置すれば、第１の画素３1と第２の画素３2とにカラーフィルタ５９を共用させることができる。
【００７２】
ここで、第１の画素３1と第２の画素３2とにカラーフィルタ５９を共用させる例を、第２実施形態として説明する。
第２実施形態における表示装置１０は、表示装置１０を図１中のＡ−Ａ線の位置に相当する位置で切断したときの断面図である図１２に示すように、液晶パネル２０と、偏光板１５と、カラーフィルタ基板１２１とを有している。カラーフィルタ基板１２１は、液晶パネル２０と偏光板１５との間に設けられている。なお、表示装置１０は、表示装置１の光吸収層５７、カラーフィルタ５９及びオーバーコート層６１がカラーフィルタ基板１２１に設けられていることを除いては、表示装置１と同様の構成を有している。従って、以下において、表示装置１０の各構成のうちで表示装置１と同様の構成については、同一の符号を付して詳細な説明を省略する。
【００７３】
液晶パネル２０は、反射素子基板３０と、駆動素子基板２３と、液晶２５とを有している。反射素子基板３０は、表示装置１の反射素子基板２１から、光吸収層５７、カラーフィルタ５９及びオーバーコート層６１が省略されている。
【００７４】
カラーフィルタ基板１２１は、図４中のＣ−Ｃ線における断面図である図１３に示すように、第３基板１２３を有している。第３基板１２３は、例えばガラスなどの光透過性を有する材料で構成されており、表示面７側に向けられた外向面１２４ａと、底面３５側に向けられた対向面１２４ｂとを有している。
第３基板１２３の対向面１２４ｂには、光吸収層５７が、平面視で格子状に設けられている。また、対向面１２４ｂには、光吸収層５７によって囲まれた各領域を底面３５側から覆うカラーフィルタ５９が設けられている。
【００７５】
上記の構成を有するカラーフィルタ基板１２１は、対向面１２４ｂが第２基板６７の外向面６８ａに向けられた状態で、オーバーコート層６１が外向面６８ａに、光透過性を有する接着剤１２５を介して貼り付けられている。
なお、反射素子基板３０の樹脂層５５の表示面７側には、対向電極６３が設けられている。また、偏光板１５は、カラーフィルタ基板１２１の外向面１２４ａに設けられている。
表示装置１０では、各カラーフィルタ５９が各交点Ｋｒ、Ｋｇ及びＫｂ（図１１参照）に位置するように、樹脂層５５や第２基板６７の厚みが設定されている。
【００７６】
表示装置１０では、光吸収層５７によって囲まれた各領域は、画素３の領域とは定義されない。表示装置１０において画素３の領域は、平面視で対向電極６３と各画素電極７７とが重なる各領域であると定義される。それは、光吸収層５７によって囲まれた各領域は、図１３中のＦ−Ｆ線における断面図である図１４に示すように、Ｘ方向に隣り合う２つの画素電極７７間にまたがっているためである。
【００７７】
表示装置１０では、表示装置１と同様の効果を奏するのみならず、第１の画素３1と第２の画素３2とにカラーフィルタ５９を共用させることができるので、カラーフィルタ５９の個数を軽減することができるとともに、１つのカラーフィルタ５９の大きさを拡大することができる。
【００７８】
第３実施形態について説明する。
第３実施形態における表示装置１００は、図１５に示すように、液晶パネル１３０と、光源部１３３とを有している。
液晶パネル１３０は、図１５中のＨ−Ｈ線における断面図である図１６に示すように、反射素子基板２１と、駆動素子基板４０と、液晶２５とを有している。
【００７９】
なお、表示装置１００は、表示装置１に光源部１３３が付加されているとともに表示装置１から偏光板１５が省略され、且つ、駆動素子基板２３に後述する偏光子及び保護膜が付加されていることを除いては、表示装置１と同様の構成を有している。従って、以下において、表示装置１００の各構成のうちで表示装置１と同様の構成については、同一の符号を付して詳細な説明を省略する。
【００８０】
光源部１３３は、例えば、ＬＥＤ（Light Emitting Diode）や冷陰極管などが採用され、図１６で見て駆動素子基板４０の側面１３５の左方に設けられており、側面１３５に対向している。
液晶パネル１３０では、図４中のＣ−Ｃ線における断面図である図１７に示すように、第２基板６７の外向面６８ａが表示面７に相当している。第２基板６７には、外向面６８ａ側に、Ｘ方向に沿って延びる複数の凹部１３７が設けられている。
【００８１】
光源部１３３は、第２基板６７における外向面６８ａと素子面６８ｂとに挟まれた側面に対向しており、この第２基板６７の側面に向けて光を射出する。光源部１３３から側面を経て第２基板６７に入射された光１３９は、凹部１３７のプリズム面１４１で底面３５側に反射される。底面３５側に反射された光１３９は、第２基板６７の素子面６８ｂを経て液晶２５に入射される。つまり、駆動素子基板４０では、第２基板６７が導光板の機能を有している。
【００８２】
駆動素子基板４０の絶縁層７１と配向膜７３との間には、偏光子１４３と、保護膜１４５とが設けられている。偏光子１４３は、絶縁層７１の底面３５側に設けられている。保護膜１４５は、例えばＳｉＯやＳｉＮなどの光透過性を有する材料で構成されており、偏光子１４３の底面３５側に設けられている。偏光子１４３及び保護膜１４５は、マトリクスＭを構成する複数の画素３に、平面視で重なる領域に設けられている。
【００８３】
表示装置１００では、偏光子１４３としてワイヤーグリッド構造が採用されている。ワイヤーグリッド構造は、表示面７側からの偏光子１４３の斜視図である図１８に示すように、多数のワイヤー１４７を互いに平行に所定間隔Ｊで配列したものである。間隔Ｊは、光の波長よりも短い値に設定されている。偏光子１４３に入射される光１４９のうち、ワイヤー１４７が延びる方向に偏光軸を有する成分１４９ａが反射され、ワイヤー１４７が延びる方向に直行する偏光軸を有する成分１４９ｂが透過する。なお、ワイヤー１４７の材料としては、例えば、光反射性が高い金、銀、アルミニウムなどが採用され得る。
【００８４】
表示装置１００では、図９（ａ）及び図９（ｂ）に示す偏光板１５に替えて偏光子１４３が設けられている。従って、表示装置１００では、図９（ａ）及び図９（ｂ）において、偏光板１５が偏光子１４３とされ、透過軸の方向９３がワイヤー１４７が延びる方向に直行する方向とされる。これにより、表示装置１００では、表示装置１と同様に表示が達成され得る。
【００８５】
表示装置１００では、表示装置１と同様の効果を奏するのみならず、光源部１３３が設けられているので、第１の画像や第２の画像を明るく表示することができる。
また、表示装置１００では、第２基板６７と液晶２５との間に偏光子１４３が設けられているので、偏光光を利用して表示を行うことができる。
また、表示装置１００では、第２基板６７が導光板の機能を有しているので、表示装置１００の厚みの増大を低く抑えることができる。
【００８６】
第４実施形態について説明する。
第４実施形態における表示装置２００は、表示装置２００を図１５中のＨ−Ｈ線の位置に相当する位置で切断したときの断面図である図１９に示すように、液晶パネル１５０と、カラーフィルタ基板１２１と、光源部１３３とを有している。
液晶パネル１５０は、反射素子基板３０と、駆動素子基板４０と、液晶２５とを有している。
【００８７】
なお、表示装置２００は、表示装置１０に光源部１３３が付加されているとともに表示装置１０から偏光板１５が省略され、且つ、駆動素子基板２３が駆動素子基板４０に替えられていることを除いては、表示装置１０や表示装置１００と同様の構成を有している。従って、以下において、表示装置２００の各構成のうちで表示装置１０や表示装置１００と同様の構成については、同一の符号を付して詳細な説明を省略する。
【００８８】
光源部１３３は、図１９で見て駆動素子基板４０の側面１３５の左方に設けられており、側面１３５に対向している。
また、カラーフィルタ基板１２１は、図４中のＣ−Ｃ線における断面図である図２０に示すように、駆動素子基板４０の表示面７側に設けられている。液晶パネル１５０では、カラーフィルタ基板１２１における第３基板１２３の外向面１２４ａが表示面７に相当している。
【００８９】
表示装置２００では、表示装置１０と同様の効果を奏するのみならず、光源部１３３が設けられているので、第１の画像や第２の画像を明るく表示することができる。
また、表示装置２００では、第２基板６７と液晶２５との間に偏光子１４３が設けられているので、偏光光を利用して表示を行うことができる。
また、表示装置２００では、第２基板６７が導光板の機能を有しているので、表示装置２００の厚みの増大を低く抑えることができる。
【００９０】
ところで、表示装置１、１０、１００及び２００のそれぞれに対して、複数の画素３の表示面７側に、図２１に示す第２の遮光膜１６１を付加すれば、第１の画像と第２の画像とが重畳する範囲１１７（図１０参照）が解消され得る。この場合、第２の遮光膜１６１には、Ｘ方向に隣り合う画素群４３同士間で隣り合う第２の画素３2と第１の画素３1とに平面視で重なる部位に、開口部１６３が設けられる。そして、Ｘ方向に隣り合う開口部１６３同士の間が遮光部１６５となっている。
【００９１】
ここで、各反射部２７から各視点Ｌａ及びＬｂに至る光１１１ａ及び１１１ｂのうちで、Ｘ方向に隣り合う第１の画素３1及び第２の画素３2のそれぞれを通る光１１１ａ及び１１１ｂは、図１１に示すように、交点Ｑで交差する。なお、各交点Ｑで交差する光１１１ａ及び１１１ｂは、Ｘ方向に隣り合う２つの画素群４３間にまたがって隣り合う第１の画素３1及び第２の画素３2のそれぞれから射出される。
【００９２】
そして、第２の遮光膜１６１の各開口部１６３は、各交点Ｑに位置している。第１の画素３1及び第２の画素３2のそれぞれから射出された光１１１ａ及び１１１ｂは、図２２に示すように、光１１１ａが第３の範囲１７１に及び、光１１１ｂが第４の範囲１７３に及ぶ。開口部１６３の大きさを適切に設定することにより、第３の範囲１７１からは各開口部１６３を介して複数の第１の画素３1からの光１１１ａだけが視認され、第４の範囲１７３からは各開口部１６３を介して複数の第２の画素３2からの光１１１ｂだけが視認され得る。
第２の遮光膜１６１を有する表示装置３００では、第１の画像と第２の画像とが重畳する範囲１１７が解消され得る。
【００９３】
なお、表示装置１、１０、１００、２００及び３００では、各反射部２７が、複数の反射部２７間で反射部２７ごとに独立して設けられた場合を例に説明したが、複数の反射部２７の構成はこれに限定されない。例えば、複数の反射部２７の構成は、反射部２７の他の構成例を示す断面図である図２３に示すように、複数の反射部２７間で一連した状態で設けられた反射膜１８１よりも表示面７側に遮光膜８９を設けた構成が採用され得る。この場合、一連した反射膜１８１のうち、遮光膜８９同士間の部位が各反射部２７として機能する。
【００９４】
また、表示装置１、１０、１００、２００及び３００では、図２４に示すように、各反射部２７が複数の画素３側に向かって凸となる凸状に形成された構成が採用され得る。この場合、各反射部２７は、第１反射面１８３ａと第２反射面１８３ｂとを有している。第１反射面１８３ａ及び第２反射面１８３ｂは、それぞれＸ方向に各反射部２７の縁部１８５から中央部に向かうにつれて、第１基板５１から遠ざかる方向に傾斜している。
【００９５】
第１反射面１８３ａは、外光や光源部１３３からの光を第１の画素３1を経て第１の方向に反射させる。第２反射面１８３ｂは、外光や光源部１３３からの光を第２の画素３2を経て第２の方向に反射させる。これにより、各反射部２７で反射された光を第１の画素３1や第２の画素３2に集中させやすくすることができる。このため、各反射部２７で反射された光が、画素３間に位置する光吸収層５７などに向かうことを低く抑えることができ、光の利用効率を高めることができる。
【００９６】
第１反射面１８３ａや第２反射面１８３ｂを有する反射部２７を採用することは、特に表示装置１や１００にとって有効である。表示装置１や１００では、外光や光源部１３３からの光が、カラーフィルタ５９を経て液晶２５に入射される。各反射部２７に第１反射面１８３ａや第２反射面１８３ｂがあれば、Ｒのカラーフィルタ５９を経て画素３ｒに入射された光を、第１反射面１８３ａ又は第２反射面１８３ｂによって画素３ｒに反射させることができる。Ｇのカラーフィルタ５９を経て画素３ｇに入射された光や、Ｂのカラーフィルタ５９を経て画素３ｂに入射された光についても同様である。従って、表示装置１や１００に第１反射面１８３ａや第２反射面１８３ｂを有する反射部２７を適用することは、光の利用効率の向上の観点から好ましい。
【００９７】
なお、各反射部２７が第１反射面１８３ａや第２反射面１８３ｂを有する場合においても、図２３に示す構成が適用され得る。
この場合、第１基板５１と反射膜１８１との間には、図２５に示すように、樹脂層１８７が設けられる。この樹脂層１８７の各反射部２７に対応する部位には、スタンパなどによって凸部１８９が設けられる。そして、反射膜１８１及び遮光膜８９は、樹脂層１８７の表示面７側に設けられる。
【００９８】
なお、表示装置１、１０、１００、２００及び３００では、各反射部２７が、図８に示すように、Ｙ方向に沿って配列する複数組の画素群４３間にわたって一連して延びる場合を例に説明したが、各反射部２７はこれに限定されない。各反射部２７は、図２６に示すように、画素群４３ごとに独立した構成も採用され得る。
【００９９】
また、表示装置１、１０、１００、２００及び３００では、ＴＮ型の液晶２５を例に説明したが、液晶２５はこれに限定されず、ＦＦＳ（Fringe Field Switching）型、ＩＰＳ（In Plane Switching）型、ＶＡ（Vertical Alignment）型等の種々の型が採用され得る。
【０１００】
また、表示装置１、１０、１００、２００及び３００では、複数組の画素群４３が、図５に示すように、Ｘ方向及びＹ方向のそれぞれの方向に沿ってマトリクス状に配列した場合を例に説明したが、複数組の画素群４３の配列はこれに限定されない。複数組の画素群４３の配列は、例えば、図２７に示すように、Ｙ方向にシグザグに並んだ配列も採用され得る。図２７に示す配列の場合、図４に示す第１の画素３1と第２の画素３2とは、Ｘ方向に交互に並んでいるとともに、Ｙ方向にも交互に並んでいる。この場合、各反射部２７は、図２８に示すように、画素群４３ごとに設けられる。
【０１０１】
上述した表示装置１、１０、１００、２００及び３００は、それぞれ、例えば、図２９に示す電子機器５００の表示部５１０に適用され得る。この電子機器５００は、カーナビゲーションシステム用の表示機器である。電子機器５００では、表示装置１、１０、１００、２００又は３００が適用された表示部５１０によって、例えば、運転席側から第１の画像として地図などの画像が視認され、助手席側から第２の画像として映画などの画像が視認され得る。さらに、電子機器５００では、第１の画像と第２の画像とが重畳する範囲１１７の軽減が図られ、広い適視範囲１１９ａから第１の画像が視認され、広い適視範囲１１９ｂから第２の画像が視認され得る。
なお、電子機器５００としては、カーナビゲーションシステム用の表示機器に限られず、携帯電話機、モバイルコンピュータ、デジタルスチルカメラ、デジタルビデオカメラ、車載機器、オーディオ機器等の種々の電子機器が挙げられる。
【図面の簡単な説明】
【０１０２】
【図１】本発明の第１実施形態における表示装置の主要構成を示す斜視図。
【図２】図１中のＡ−Ａ線における断面図。
【図３】第１実施形態における複数の画素の一部を示す平面図。
【図４】第１実施形態における複数の画素の一部を示す平面図。
【図５】第１実施形態における複数組の画素群の配列を説明する平面図。
【図６】図４中のＣ−Ｃ線における断面図。
【図７】図６中のＤ−Ｄ線における断面図。
【図８】第１実施形態における反射部と画素群とを示す平面図。
【図９】第１実施形態における表示装置の偏光状態を説明する図。
【図１０】第１実施形態における複数組の画素群及び反射部を模式的に示す断面図。
【図１１】第１実施形態における複数組の画素群及び反射部を模式的に示す断面図。
【図１２】第２実施形態における表示装置を図１中のＡ−Ａ線の位置に相当する位置で切断したときの断面図。
【図１３】図４中のＣ−Ｃ線における断面図。
【図１４】図１３中のＦ−Ｆ線における断面図。
【図１５】第３実施形態における表示装置の主要構成を示す斜視図。
【図１６】図１５中のＨ−Ｈ線における断面図。
【図１７】図４中のＣ−Ｃ線における断面図。
【図１８】第３実施形態における偏光子を示す斜視図。
【図１９】第４実施形態における表示装置を図１５中のＨ−Ｈ線の位置に相当する位置で切断したときの断面図。
【図２０】図４中のＣ−Ｃ線における断面図。
【図２１】第１〜第４実施形態のそれぞれに第２の遮光膜を適用したときの構成を模式的に示す断面図。
【図２２】第１〜第４実施形態のそれぞれに第２の遮光膜を適用したときの構成を模式的に示す断面図。
【図２３】第１〜第４実施形態のそれぞれにおける反射部の他の構成例を示す断面図。
【図２４】第１〜第４実施形態のそれぞれにおける反射部の他の例を模式的に示す断面図。
【図２５】第１〜第４実施形態のそれぞれにおける反射部のさらに他の構成例を示す断面図。
【図２６】第１〜第４実施形態のそれぞれにおける反射部の他の例を示す平面図。
【図２７】第１〜第４実施形態のそれぞれにおける複数組の画素群の配列の他の例を示す平面図。
【図２８】第１〜第４実施形態のそれぞれにおける反射部の他の例を示す平面図。
【図２９】第１〜第４実施形態における表示装置を適用した電子機器の斜視図。
【図３０】従来技術の課題を説明する断面図。
【符号の説明】
【０１０３】
１，１０，１００，２００，３００…表示装置、３…画素、３1…第１の画素、３2…第２の画素、７…表示面、１１，２０，１３０，１５０…液晶パネル、２１，３０…反射素子基板、２３，４０…駆動素子基板、２５…液晶、２７…反射部、４３…画素群、５１…第１基板、５５…樹脂層、６７…第２基板、８９…遮光膜、１１１ａ，１１１ｂ…光、１１３…第１の範囲、１１５…第２の範囲、１１７…範囲、１１９ａ，１１９ｂ…適視範囲、１３３…光源部、１３５…側面、１４１…プリズム面、１４３…偏光子、１８１…反射膜、１８３ａ…第１反射面、１８３ｂ…第２反射面、１８５…縁部、１８９…凸部、５００…電子機器、５１０…表示部、Ｍ…マトリクス。
【図１】
2009080384.tif 000003
【図２】
2009080384.tif 000004
【図３】
2009080384.tif 000005
【図４】
2009080384.tif 000006
【図５】
2009080384.tif 000007
【図６】
2009080384.tif 000008
【図７】
2009080384.tif 000009
【図８】
2009080384.tif 000010
【図９】
2009080384.tif 000011
【図１０】
2009080384.tif 000012
【図１１】
2009080384.tif 000013
【図１２】
2009080384.tif 000014
【図１３】
2009080384.tif 000015
【図１４】
2009080384.tif 000016
【図１５】
2009080384.tif 000017
【図１６】
2009080384.tif 000018
【図１７】
2009080384.tif 000019
【図１８】
2009080384.tif 000020
【図１９】
2009080384.tif 000021
【図２０】
2009080384.tif 000022
【図２１】
2009080384.tif 000023
【図２２】
2009080384.tif 000024
【図２３】
2009080384.tif 000025
【図２４】
2009080384.tif 000026
【図２５】
2009080384.tif 000027
【図２６】
2009080384.tif 000028
【図２７】
2009080384.tif 000029
【図２８】
2009080384.tif 000030
【図２９】
2009080384.tif 000031
【図３０】
2009080384.tif 000032